(57)【特許請求の範囲】
【請求項１】
鉄道車両内に取り外し可能に設けられて乗客が腰かける椅子の座面を有する座面部材と、
該座面部材の下面に設けられかつレール踏面上に載置可能に設けられて、該レール踏面上に載置した際に、該座面部材をレール長さ方向に沿って走行させる走行部材と、を具備することを特徴とする避難支援装置。
【請求項２】
前記走行部材は前記レール踏面上を転動する車輪を有することを特徴とする請求項１に記載の避難支援装置。
【請求項３】
前記走行部材は前記レール踏面上をスライドするスライド部材を有することを特徴とする請求項１に記載の避難支援装置。
【請求項４】
前記走行部材は、前記レールの軌間に対応して前記走行部材の間隔が調整可能に設けられていることを特徴とする請求項２又は３のいずれか１項に記載の避難支援装置。
【請求項５】
前記座面部材の下面には、前記座面部材の軌道幅方向への移動を規制して前記レール踏面上からの前記走行部材の脱落を防止するガイド部材が設けられていることを特徴とする請求項１〜４のいずれか１項に記載の避難支援装置。
【請求項６】
前記ガイド部材は、前記座面部材の座面に対して回転自在に支持されて、該座面と平行な位置と該座面に垂直な位置との間で回転可能であることを特徴とする請求項５に記載の避難支援装置。
【請求項７】
前記座面部材には、前記走行部材をレール踏面上に載置した際に、操作者によって把持されて、前記座面部材をレールの長さ方向に沿って移動させるハンドル部材が設けられていることを特徴とする請求項１〜６のいずれか１項に記載の避難支援装置。
【請求項８】
前記ハンドル部材は、前記座面部材の下面に脱着自在に収納されることを特徴とする請求項７に記載の避難支援装置。
【請求項９】
前記ハンドル部材の下部には、前記座面部材に取り付けた際に、前記レール踏面に接触してブレーキ力を発生させるブレーキパッドが設置されることを特徴とする請求項７又は８のいずれか１項に記載の避難支援装置。
【請求項１０】
前記ハンドル部材には、前記座面部材に取り付けた際に、前記レール踏面に前記ブレーキパッドを接触かつ押圧させる付勢手段が設けられることを特徴とする請求項９に記載の避難支援装置。
【請求項１１】
前記座面部材の下面には該座面部材の高さを調整できる昇降手段が設けられていることを特徴とする請求項１〜１０のいずれか１項に記載の避難支援装置。
【発明の詳細な説明】
【技術分野】
【０００１】
本発明は、地震、火災などの災害が生じた場合に、列車から歩行困難者を簡便かつ緊急に搬送できる避難支援装置に関する。
【背景技術】
【０００２】
従来、この種の避難支援装置として、例えば、特許文献１に示される技術が知られている。
この特許文献１に示される避難支援装置は、低地側停留場と高台側停留場との間に敷設された軌道と、該軌道に沿って移動する避難デッキと、該避難デッキを牽引する索条と、前記高台側停留場に備えて前記索条を巻き上げる巻上装置と、を備えたものである。
そして、このような特許文献１の避難支援装置では、避難デッキを索条で牽引する構成であるので、例えば、地震、火災などの災害発生時に、高齢者、身体障害者などの特に助けを必要とする避難者を効率良く移送することが可能となる。
【先行技術文献】
【特許文献】
【０００３】
【特許文献１】特開２０１４−４６７８５号公報
【発明の概要】
【発明が解決しようとする課題】
【０００４】
しかしながら、特許文献１に示される避難支援装置は、避難デッキを走行させる専用の軌道を敷設するなどの大規模な工事が必要であり、簡便に使用することが困難であり、この点において新たな避難具の開発が期待されていた。
【０００５】
この発明は、上述した事情に鑑みてなされたものであって、地震、火災などの災害が生じた場合に、列車から歩行困難者を簡便かつ緊急に低コストで搬送できる避難支援装置を提供する。
【課題を解決するための手段】
【０００６】
上記課題を解決するために、この発明は以下の手段を提案している。
本発明は、鉄道車両内に取り外し可能に設けられて乗客が腰かける椅子の座面として使用される座面部材と、該座面部材の下面に設けられかつレール踏面上に載置可能に設けられて、該レール踏面上に載置した際に、該座面部材をレール長さ方向に沿って走行させる走行部材と、を有することを特徴とする。
【０００７】
上記発明では、鉄道車両内に取り外し可能に設けられて乗客が腰かける椅子の座面として使用される座面部材の下面に、該座面部材をレール長さ方向に沿って走行させる走行部材が設けられている。
これにより地震、火災などの災害が生じた場合に、鉄道車両内の座面部材を取り外して、該座面部材の下面にある走行部材をレール踏面上に載置すれば、この走行部材を介して、該座面部材をレール長さ方向に沿って走行させることができる。
その結果、該座面部材を使用して、列車から歩行困難者を簡便かつ緊急に搬送することができる。
また、本発明は、鉄道車両内にある既存の椅子の座面部材と、既存の鉄道レールを利用して歩行困難者を簡便に移送できる構成であり、従来のような専用の構成を必要とせず、低コストでその移送を実現することが可能となる。
【０００８】
また本発明は、前記走行部材は前記レール踏面上を転動する車輪を有することを特徴とする。
【０００９】
上記構成では、前述の走行部材としてレール踏面上を転動する車輪が使用されているので、該車輪の転動により、鉄道レールの踏面上にて座面部材を円滑に走行させることができる。
【００１０】
また本発明は、前記走行部材は前記レール踏面上をスライドするスライド部材を有することを特徴とする。
【００１１】
上記構成では、前述の走行部材としてレール踏面上をスライドするスライド部材が使用されているので、該スライド部材により、鉄道レールの踏面上にて座面部材を円滑に走行させることができる。
【００１２】
また本発明は、前記走行部材は、前記レールの軌間に対応して前記車輪又はスライド部材の間隔が調整可能に設けられていることを特徴とする。
【００１３】
上記構成では、前記レールの軌間に対応して前記車輪又はスライド部材の間隔が調整可能に設けられているので、狭軌又は標準軌といった軌間に対応した運用が可能であり、その使用性能を向上させることが可能となる。
【００１４】
また本発明は、前記座面部材の下面に、前記座面部材の軌道幅方向への移動を規制して前記レール踏面上からの前記走行部材の脱落を防止するガイド部材が設けられていることを特徴とする。
【００１５】
上記構成によれば、前記座面部材の下面に設けられた前記ガイド部材により、該座面部材の軌道幅方向への移動を規制してレール踏面上からの走行部材の脱落を防止できるので、鉄道レールの踏面上にて座面部材を安全に走行させることができる。
【００１６】
また本発明は、前記ガイド部材は、前記座面部材の座面に対して回転自在に支持されて、該座面と平行な位置と該座面に垂直な位置との間で回転可能であることを特徴とする。
【００１７】
上記構成によれば、非使用時に、ガイド部材を座面部材の座面と平行な位置に収納することができ、その収納性を高めることができる。
【００１８】
また本発明は、前記座面部材には、前記走行部材をレール踏面上に載置した際に、操作者によって把持されて、前記座面部材をレールの長さ方向に沿って移動させるハンドル部材が設けられていることを特徴とする。
【００１９】
上記構成によれば、走行部材をレール踏面上に載置した際に、操作者に、座面部材に設けられたハンドル部材を把持させて、該座面部材をレール長さ方向に沿って移動可能としたので、鉄道レールに沿う該座面部材の走行を容易に行わせることができる。
【００２０】
また本発明は、前記ハンドル部材は、前記座面部材の下面に脱着自在に収納されることを特徴とする。
【００２１】
上記構成によれば、前記ハンドル部材が前記座面部材の下面に脱着自在に収納されることにより、非使用時におけるハンドル部材の収納性を高めることができる。
【００２２】
また本発明は、前記ハンドル部材の下部には、前記座面部材に取り付けた際に、前記レール踏面に接触してブレーキ力を発生させるブレーキパッドが設置されることを特徴とする。
【００２３】
上記構成によれば、前記座面部材へのハンドル部材の取付け時において、前記ハンドル部材の下部に設置されたブレーキパッドにより、レール踏面に対してブレーキ力を発生させることができるので、該ブレーキ力により前記座面部材が不用意に走行することを防止できる。
【００２４】
また本発明は、前記ハンドル部材には、前記座面部材に取り付けた際に、前記レール踏面に前記ブレーキパッドを接触かつ押圧させる付勢手段が設けられることを特徴とする。
【００２５】
上記構成によれば、前記座面部材へのハンドル部材の取付け時において、該ハンドル部材に、前記レール踏面に前記ブレーキパッドを接触かつ押圧させる付勢手段が設けられるので、該ハンドル部材を意図的に操作しない限り、ブレーキパッドとレール踏面との接触状態が維持されて、鉄道レールに沿う座面部材の自由走行が規制され、不慮の走行を未然に防止することができる。
【００２６】
また本発明は、前記座面部材の下面には該座面部材の高さを調整できる昇降手段が設けられていることを特徴とする。
【００２７】
上記構成によれば、前記座面部材の下面には設置された昇降手段により該座面部材の高さを調整できるので、該座面部材に寝かせた被搬送者（例えば、歩行困難者）を、操作者の目線近く位置させることができ、これによって被搬送者に安心感を与えることができる。
【発明の効果】
【００２８】
本発明によれば、座面部材を使用して、列車から歩行困難者を簡便かつ緊急に搬送することができる。
また、本発明では、鉄道車両内にある既存の椅子の座面部材と、既存の鉄道レールを利用して歩行困難者を簡便に移送できる構成であり、従来のような専用の構成を必要とせず、低コストでその移送を実現することが可能となる。
【図面の簡単な説明】
【００２９】
【図１】本発明の第１実施形態に適用されるロングシートの椅子を示す斜視図である。
【図２】図１の座面部材に設けられた走行部材を示す正面図である。
【図３】図２の座面部材を背面側から見た背面図である。
【図４】座面部材に設置された走行部材を具体的に示す図である。
【図５】座面部材の側面図である。
【図６】座面部材に設置されるハンドル部材の構造を具体的に示す正面図である。
【図７】本発明の第２実施形態に係る座面部材を示す斜視図である。
【発明を実施するための形態】
【００３０】
（第１実施形態）
本発明の第１実施形態に係る避難支援装置１００について図１〜図６を参照して説明する。
図１に符号１で示すものは鉄道車両内に設置されたロングシートの椅子であって、この椅子１の水平部分は、乗客が腰かける椅子の座面２Ａとして使用される座面部材２となっている。なお、この椅子１の座面部材２は鉄道車両内にて取り外し可能に設けられている。
【００３１】
座面部材２の下部に位置するベース部材２Ｂの下面でかつ該座面部材２の両側部には、図２に示されるように鉄道レールＲのレール踏面Ｍ上に載置可能な走行部材３が設けられている。
この走行部材３は、座面部材２の長さ方向に間隔をおき、かつ鉄道レールＲの軌間Ｗに対応して間隔をおいて配置された一対の走行車輪４から構成されているものであって、レール踏面Ｍ上に載置した際に、座面部材２を鉄道レールＲの長さ方向に沿って走行可能とする。
走行車輪４は、図３及び図４に示されるように、座面部材２の下面に固定されたフレーム５に複数のローラ６が一定間隔で配置されているものであって、それぞれのローラ６がレール踏面Ｍ上を転動することにより、走行部材３を鉄道レールＲに沿って走行させるものである。
なお、走行車輪４を構成するローラ６の各回転軸は、座面部材２の長さ方向に沿っており、座面部材２をレール踏面Ｍ上に載置した場合には鉄道レールＲの軌間方向に沿うように配置される。これにより座面部材２をレール踏面Ｍ上に載置した場合には、該座面部材２がその幅方向に沿うように、かつ鉄道レールＲ上を走行可能となる。
【００３２】
図２に示されるように、座面部材２の下部に位置するベース部材２Ｂの下面であり、かつ各走行車輪４の内側には、座面部材２の軌道幅方向への移動を規制してレール踏面Ｍ上からの走行車輪４の脱落を防止するガイド部材１０が設けられている。
ガイド部材１０は、座面部材２の座面に対して水平軸１０Ａを中心として回転自在に支持されたものであって、座面部材２の座面２Ａと平行な位置（図２に点線で示す水平位置）と該座面２Ａに垂直な位置（図２に実線で示す垂直位置）との間で矢印ａ方向に回転可能に設けられている。
ここで、ガイド部材１０が図２に実線で示す垂直位置にある場合には、該ガイド部材１０の先端部は、鉄道レールＲのレール踏面Ｍの内側かつ側部に近接するように位置し、これによって座面部材２の軌道幅方向への移動を規制してレール踏面Ｍ上からの走行車輪４の脱落を防止する。
【００３３】
図３、図５及び図６に示されるように、座面部材２には、走行部材３をレール踏面Ｍ上に載置した際に、操作者によって把持されて、座面部材２を鉄道レールＲの長さ方向に沿って移動させるハンドル部材２０が設けられている。
このハンドル部材２０は、図３に示されるように非使用時に座面部材２のベース部材２Ｂ下面の収納金具７に保持され、使用時にこの収納金具７から取り外しできるようになっている。
【００３４】
一方、座面部材２には、図５及び図６に詳細に示されるように、取り外されたハンドル部材２０を該座面部材２上に垂直となるように差し込むための筒状の支持部材３０が設けられており、該支持部材３０の筒状体３０Ａの内部には座面部材２を上下に貫通する貫通孔３１が設けられている。
ハンドル部材２０は、支持部材３０に差し込むことにより座面部材２に垂直に固定される筒状のハンドル本体部２１と、該ハンドル本体部２１内に形成された中空部２２に挿通されかつ該ハンドル本体部２１に対して長さ方向にスライド自在かつ棒状なスライド部材２３と、を有している。
【００３５】
スライド部材２３は、ブレーキパッドＰに脱着自在に係合される係合片２４を下端部に有しており、筒状の支持部材３０に差し込まれた場合に、該支持部材３０内の貫通孔３１を経由して座面部材２の下方でかつ鉄道レールＲのレール踏面Ｍ上に位置するブレーキパッドＰの被係合リング３２に係合可能となる。
このブレーキパッドＰは、鉄道レールＲのレール踏面Ｍ上に摺動可能なブレーキ摩擦材３３と、該ブレーキ摩擦材３３を支持するキャリパ３４とを有し、該キャリパ３３の上面に、スライド部材２３の係合片２４に係合可能な被係合リング３２が設けられた構成である。
また、このブレーキパッドＰは、座面部材２の下面に設けられた圧縮ばね部材３５の付勢力（付勢力の方向を図６に符号ｂで示す）によってレール踏面Ｍに対して接触かつ押圧されており、これによりレール踏面Ｍ上に載置された座面部材２が、鉄道レールＲ上にて自由走行することを規制する。
【００３６】
一方、ハンドル部材２０を構成しているハンドル本体部２１及びスライド部材２３の各上端部には、操作者により把持される握り棒２１Ａ、２３Ａがそれぞれ設けられている。
スライド部材２３の握り棒２３Ａと、ハンドル本体部２１の握り棒２１Ａとは、ハンドル部材２０の長さ方向に沿って間隔２０ａを有するように設けられており、操作者が握り棒２１Ａ、２３Ａを把持して、該握り棒２１Ａ、２３Ａの間隔２０ａを狭めることにより、圧縮ばね部材３５の付勢力に抗してスライド部材２３を持ち上げることが可能となる（スライド部材２３の持ち上げ方向を図６に符号ｃで示す）。
そして、このようなスライド部材２３を持ち上げによって、該スライド部材２３の下端のブレーキパッドＰを、鉄道レールＲのレール踏面Ｍから離間させることができ、これによりブレーキ力を解除して、レール踏面Ｍ上に載置された座面部材２を、鉄道レールＲに沿い自由走行させることが可能となる。
【００３７】
すなわち、上記のような構成により、鉄道レールＲのレール踏面Ｍ上に座面部材２が載置された場合、ハンドル部材２０のスライド部材２３を意図的に操作しない限り、ブレーキパッドＰとレール踏面Ｍとの接触状態が維持されて、鉄道レールＲに沿う座面部材２の自由走行が規制されるので、不慮の走行を未然に防止することができる。
一方、操作者が握り棒２１Ａ、２３Ａを把持して、スライド部材２３を矢印ｃ方向に操作した場合には、レール踏面Ｍに対するブレーキパッドＰの接触状態が解除されて、該レール踏面Ｍ上に載置された座面部材２を鉄道レールＲに沿って自由走行させることが可能となる。これにより該座面部材２を使用して、列車から歩行困難者を簡便かつ緊急に搬送することが可能となる。
【００３８】
以上詳細に説明したように本実施形態に示される避難支援装置１００によれば、鉄道車両内に取り外し可能に設けられて乗客が腰かける椅子１の座面２Ａとして使用される座面部材２の下面に、該座面部材２を鉄道レールＲの長さ方向に沿って走行させる走行部材３が設けられている。
これにより地震、火災などの災害が生じた場合に、鉄道車両内の座面部材２を取り外して、該座面部材２の下面にある走行部材３の走行車輪４をレール踏面Ｍ上に載置すれば、この走行部材３を介して、該座面部材２を鉄道レールＲの長さ方向に沿って走行させることができる。その結果、該座面部材２を使用して、列車から歩行困難者を簡便かつ緊急に搬送することができる。
また、本実施形態に示される避難支援装置１００では、鉄道車両内にある既存の椅子１の座面部材２と、既存の鉄道レールＲを利用して歩行困難者を簡便に移送できる構成であり、従来のような専用の構成を必要とせず、低コストでその移送を実現することが可能となる。
【００３９】
なお、上記実施形態では、走行部材３として走行車輪４が採用されているが、これに限定されず、例えば、摩擦抵抗が小さいフッ素樹脂ブロックにより走行部材３を構成し、レール踏面Ｍ上にて該樹脂ブロックを滑らせることで、鉄道レールＲに沿って走行部材３を走行させるようにしても良い。
【００４０】
また、鉄道レールＲ上に載置する座面部材２は１台に限定されず、図５に示されるように該座面部材２を２台又はそれ以上連結しても良い。このとき、１つのハンドル部材２０により各座面部材２にある複数のブレーキパッドＰを同時かつ同方向に操作するようにしても良い。
【００４１】
（第２実施形態）
本発明の第２実施形態について図７を参照して説明する。
第２実施形態に示される避難支援装置１０１が、第１実施形態に示される避難支援装置１００と構成を異にするのは、鉄道レールＲに沿って座面部材４０がその長さ方向に移動する点、及び座面部材４０の高さを調整可能にした点にある。
【００４２】
具体的には、第２実施形態に示される避難支援装置１０１では、図７に示されるように座面部材４０の下面に該座面部材４０を上下方向に水平移動させるための昇降手段４１が設けられている。
なお、この昇降手段４１は座面部材４０を上下方向に水平移動させるとともにその高さを段階的に可能としても良い。
【００４３】
該昇降手段４１の台座４２には、鉄道レールＲのレール踏面Ｍ上に載置可能な走行部材４３が設けられている。
この走行部材４３は、座面部材４０の長さ方向に間隔をおいて設けられた一対の車輪機構４４を有しているものであって、レール踏面Ｍ上に載置した際に、座面部材４０を鉄道レールＲの長さ方向に沿って走行させる。
各車輪機構４４は、レール踏面Ｍを転動する２つのローラ４５をそれぞれ有し、かつ鉄道レールＲの軌間Ｗに合わせて矢印ｍ方向にこれらローラ４５の間隔を調整可能に設けられたものであって、それぞれのローラ４５がレール踏面Ｍ上を転動することにより、走行部材４３を鉄道レールＲに沿って走行させるものである。
【００４４】
なお、第２実施形態の避難支援装置１０１においても、第１実施形態の避難支援装置１００と同様のブレーキパッドＰを備えたハンドル部材２０が設けられているが、図７では省略されている。
また、座面部材４０に、搬送者の落下を防止するための柵又は安全ベルト４６といった安全具を追加しても良い。
【００４５】
以上詳細に説明したように第２実施形態に示される避難支援装置１０１によれば、鉄道車両内に取り外し可能に設けられた座面部材４０の下面に、該座面部材４０を鉄道レールＲの長さ方向に沿って走行させる走行部材４３が設けられている。
これにより地震、火災などの災害が生じた場合に、鉄道車両内の座面部材４０を取り外して、該座面部材４０の下面にある走行部材４３の車輪機構４４をレール踏面Ｍ上に載置すれば、この走行部材４３を介して、該座面部材４０を鉄道レールＲの長さ方向に沿って走行させることができる。その結果、該座面部材４０を使用して、列車から歩行困難者を簡便かつ緊急に搬送することができる。
また、本実施形態に示される避難支援装置１０１では、鉄道車両内にある既存の椅子１の座面部材４０と、既存の鉄道レールＲを利用して歩行困難者を簡便に移送できる構成であり、従来のような専用の構成を必要とせず、低コストでその移送を実現することが可能となる。
【００４６】
さらに、本実施形態に示される避難支援装置１０１では、座面部材４０の各車輪機構４４に具備された２つのローラ４５の間隔が、鉄道レールＲの軌間Ｗに合わせて調整可能に設けられているので、狭軌又は標準軌といった軌間Ｗに対応した運用が可能であり、その汎用性を向上させることが可能となる。
【００４７】
さらに、第２実施形態に示される避難支援装置１０１では、座面部材４０を段階的に上下方向に水平移動可能な昇降手段４１が設けられているので、座面部材４０に寝かせた被搬送者（例えば、歩行困難者）を、操作者の目線近く位置させることができ、これによって被搬送者に安心感を与えることができる。
【００４８】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００４９】
本発明は、地震、火災などの災害が生じた場合に、列車から歩行困難者を簡便かつ緊急に搬送できる避難支援装置に関する。
【符号の説明】
【００５０】
１  椅子
２  座面部材
２Ａ  座面
３  走行部材
４  走行車輪
１０  ガイド部材
２０  ハンドル部材
３５  圧縮ばね部材
４３  走行部材
１００  避難支援装置
１０１  避難支援装置
Ｒ  鉄道レール
Ｍ  レール踏面
Ｐ  ブレーキパッド
【図１】
0006569863.tif 000002
【図２】
0006569863.tif 000003
【図３】
0006569863.tif 000004
【図４】
0006569863.tif 000005
【図５】
0006569863.tif 000006
【図６】
0006569863.tif 000007
【図７】
0006569863.tif 000008